(57)【特許請求の範囲】
【請求項１】
下記の要件を備えたことを特徴とする靴下。
（イ）足を挿抜するための開口を有する筒状部を有していること。
（ロ）前記筒状部は、外側面および内側面を形成する２枚の布地によって二重に形成されていること。
（ハ）前記筒状部の外側面を形成する布地の表面には、刺繍あるいは編成による第１の絵柄が形成されていること。
（ニ）前記筒状部の内側面を形成する布地の表面には、刺繍あるいは編成による第２の絵柄が形成されていること。
（ホ）前記第２の絵柄は、前記筒状部を外側に折り返すことによって、外側から見ることができるようになっていること。
【請求項２】
下記の要件を備えたことを特徴とする請求項１記載の靴下。
（イ）前記筒状部は、外側面に前記第１および第２の絵柄が長手方向に沿って配置された一枚の布地を、第１および第２の絵柄の間で折り返すことにより二重に形成されていること。
（ロ）折り返された一枚の布地の端部は筒状部の所定位置に取り付けられていること。
【発明の詳細な説明】
【０００１】
【発明の属する技術分野】
本発明は、絵柄を形成した靴下に関するものである。
【０００２】
【従来の技術】
従来、靴下の筒状部（胴部）に絵柄を形成したものとして、特開平８−１８８９０１号公報に開示された靴下が知られている。当該公報に記載されている靴下は、靴下の胴部に別途形成したワッペン状の装飾部材を接着あるいは逢着することにより、靴下の胴部に絵柄を形成したものである。
また、刺繍によって靴下の胴部の外側面に絵柄が形成されたものも一般的に知られている。
【０００３】
【発明が解決しようとする課題】
上記従来の靴下は、所定の絵柄が筒状部の外側面のみに設けられたものであり、常に同一の絵柄が見えるようになっているものである。
【０００４】
したがって、靴下を足に装着した状態で見える絵柄は常に一定なので変化が無く、面白みの無いものであった。
また、ワッペン状の装飾部材等を別途形成して取り付ける方法では、当該ワッペンの形成が刺繍や編成に比べてコスト高であり、ワッペンの取付という工程が別途必要になり更にコスト高となってしまっていた。なお、伸縮性の無い布地用のシール等を接着剤によって単に貼り付けることも考えられるが、この場合シール自体が布地の伸縮によってひび割れ、剥がれを起こすので耐久性に欠け、長期間靴下を使用するということができなかった。この場合伸縮性のあるシールを使用する方法もあるが、シール自体が高価でありコスト高となってしまう。
さらに、刺繍や編成により絵柄を形成したものについては、刺繍等を行った部分の布地の裏側には下糸や裏模様が見える状態となっており、靴下の筒状部を折り返した場合には、当該刺繍等の裏地が表面に現れるので美観を損ない、靴下の筒状部を折り返して履くということはできなかった。
【０００５】
本願の発明に係る靴下は、上記の点に鑑み発明されたものであって、筒状部に表れる絵柄は一種類だけではなく、他の絵柄も任意に表すことが可能な靴下を提供することを目的とする。
また、刺繍や編成による絵柄の形成で、シールを接着した場合のように絵柄が剥がれ落ちることの無い靴下を提供することを目的とする。
さらに、刺繍や編成によって絵柄を形成しても、下糸や裏模様の見えることのない靴下の構造によって、靴下の筒状部を折り返して履くことができるような靴下の構造を提供することを目的とする。
【０００６】
【課題を解決するための手段】
本願発明の請求項１記載の靴下は、上記課題を解決するために以下の要件を備えたことを特徴とする。すなわち、
（イ）足を挿抜するための開口を有する筒状部を有していること。
（ロ）前記筒状部は、外側面および内側面を形成する２枚の布地によって二重に形成されていること。
（ハ）前記筒状部の外側面を形成する布地の表面には、刺繍あるいは編成による第１の絵柄が形成されていること。
（ニ）前記筒状部の内側面を形成する布地の表面には、刺繍あるいは編成による第２の絵柄が形成されていること。
（ホ）前記第２の絵柄は、前記筒状部を外側に折り返すことによって、外側から見ることができるようになっていること。
【０００７】
また、本願発明の請求項２記載の靴下は、上記課題を解決するために以下の要件を備えたことを特徴とする。すなわち、
（イ）前記筒状部は、外側面に前記第１および第２の絵柄が長手方向に沿って配置された一枚の布地を、第１および第２の絵柄の間で折り返すことにより二重に形成されていること。
（ロ）折り返された一枚の布地の端部は筒状部の所定位置に取り付けられていること。
【００１１】
【発明の実施の形態】
以下、本願発明の一実施例を図を用いて説明する。
まず、図面について簡単に説明すると、図１は、本願発明に係る靴下の斜視図であり要部の構造を説明するために部分的に断面図で示したものである。図２は本願発明に係る靴下を表した側面図であり、靴下の筒状部を折り返さずに伸ばした状態を示している。図３は、図２と同様に本願発明に係る靴下を表した側面図であり、靴下の筒状部を折り返した状態を示している。
【００１２】
次に、本願発明に係る靴下の概略を説明する。
図１において１は本願発明に係る靴下であり、当該靴下１は側面に第１の絵柄３を刺繍によって形成した筒状部５を有している。当該筒状部５は上端における布地の折り返しで二重構造となっており、折り返して筒状部５の内側となっている部分には、第２の絵柄７が刺繍によって形成されている。
この構造によって、筒状部５を折り返さずにまっすぐにしている状態では図２に示すように筒状部５の側面に第１の絵柄３が表示され、筒状部５を折り返した時には、図３に示すように今まで内側で見えなかった第２の絵柄が見えるようになっている。
【００１３】
以下、本願発明に係る靴下を詳細に説明する。
前述の通り、図１は本願発明に係る靴下１の斜視図であり筒状部５を部分的に断面図で示したものである。靴下１は、基本的な機能としては足に履くためのものであり、ごく一般的な靴下と全く同一である。
しかし、本発明の靴下１は、筒状部が二重構造となっている点で、一般的な靴下と異なっている。筒状部５の構造について具体的に説明すると、筒状部５は、一重の筒状の布を折返し部９で折り返してその端部を筒状の布の一部分である接合部１１に縫いつけることにより２重に重ね合わせた構造となっている。この場合、一重の筒状の布を内側に向かって折り返すか、あるいは外側に向かって折り返すかは、靴下のデザインその他の関連で任意に選択される事項である。
【００１４】
前記一重の筒状の布を折り返した状態で、二重構造の筒状部５が形成されるわけであるが、折り返した状態で筒状部５の外側および内側となる面には、第１の絵柄３および第２の絵柄７がそれぞれ刺繍によって形成されている。これら、第１の絵柄３および第２の絵柄７は、一重の筒状の布を折り返す前の段階で、所定の刺繍装置によって形成されているものである。さらに、第１の絵柄３および第２の絵柄７は、筒状部５自体の折り返しに対して支障の無い位置であり、かつ折り返した時に筒状部５の内側に形成された第２の絵柄７が外側から視認可能となるように設けられている。
【００１５】
また、前述のように、第１の絵柄３および第２の絵柄７は刺繍によって形成されており、表面の刺繍形成時には当然ながら裏面に表面の刺繍に対応する下糸が形成されるようになっている。従来の筒状体が一重の靴下の場合には、表面の刺繍に対応して筒状体の内側に下糸が表出することとなってしまうが、本願発明の靴下１の場合には、下糸（図示せず）が表出する裏面は二重構造を形成する布の内側になり、全く下糸が見えないようになっている。従って、筒状体５を折り返して履いても、下糸が見えることがないようになっている。
【００１６】
次に、本願発明の靴下１の製造工程および作用等について説明する。
筒状部５の外側面および内側面への刺繍は、筒状部５を折り返して二重とする前の一重の段階で行われる。この状態を図４等を用いて詳しく説明する。
図４は、筒状部５を形成するための筒状部材２１を折り返さずに伸展させた状態を示している。筒状部材２１は伸縮性のある一重の布材によって形成された筒状の部材である。この状態で当該筒状部材２１の外側面の長手方向（図４では上下方向）には、所定の間隔で第１の絵柄３および第２の絵柄７が刺繍によって形成されている。この第１の絵柄３および第２の絵柄７の刺繍は、一方向からの刺繍が可能であり既存の設備として一般的に使用されている靴下用の刺繍機械を用いることができ、この刺繍機械を利用して従来どおりの手法で刺繍が行われる。
【００１７】
筒状部が一重の状態で第１の絵柄３および第２の絵柄７を形成した次の段階として、一重の筒状部を折返し部９（図４のＡ−Ａ’線で示した部分）で内側に折り返して二重とし、その端部（接合部１１）を縫製することが行われる。
この折返し部９は第１の絵柄３および第２の絵柄７の間に位置し、折返し部が各絵柄にかからないようになっている。
この工程によって、二重となった筒状部５が形成されることになり、筒状部材２１の折り返しに際して、外側面に残った部分には第１の絵柄３が形成され、折り返しによって筒状部５の内側面となった部分には第２の絵柄７が形成されることとなる。
上記の工程によって、筒状部５の外側面および内側面に第１の絵柄３および第２の絵柄７が形成されるわけであるが、当該筒状部５の外側面および内側面の刺繍用として特に新たな専用機械を用意する必要はなく、既存の設備によって筒状部５の刺繍による絵柄を形成することができる。
【００１８】
また、刺繍を行った場合には、必ず裏面に下糸が形成されることとなるが、以上説明した構造によると、筒状部材９の折返しによって第１の絵柄３および第２の絵柄７の各下糸が対向するような位置状態となり、外部からは下糸を見ることができないようになっている。これによって、靴下の筒状部５を表裏反転するように折り返して履いたり、どのような履きかたをしても下糸が見えることがなく、下糸が見えて美観を損なうということが起こらないようになっている。
【００１９】
以上説明した本願発明の靴下１は、筒状部５の外側と内側にそれぞれ第１の絵柄３および第２の絵柄７が形成されることとなるので、筒状部５を折り返して履いたり、伸ばして履いたりすることで、外側面から見える絵柄を任意に選択することができるようになっている。
【００２０】
【実施例】
本願発明の靴下に関する他の実施例について説明する。当該実施例の場合、基本的な構造は前述の靴下と同一であるが、刺繍されている第１の絵柄３および第２の絵柄７が関連する絵柄となっている点で特徴を有している。つまり、テレビアニメやビデオゲーム等で人気となっているキャラクターをモチーフにした場合、第１の絵柄３にはキャラクタの成長前の状態を表示し、第２の絵柄７にはキャラクタの成長後の状態を表示することで、テレビアニメやビデオゲームのストーリーに合わせて成長前後の絵柄を楽しむことができる。
特に最近では、登場キャラクターが成長あるいは進化をするといったものが多く見受けられるようになり、子供たちにとって大人気となっている。このような背景からも、本実施例のように登場キャラクターの成長、進化の状態を靴下の絵柄とすることで、子供たちにも受け入れられやすくなっている。
【００２１】
また、上記発明の実施の形態および実施例は、絵柄を刺繍によって形成した場合を中心に説明したが、刺繍に換えて編成によって形成してもよい。つまり、編成とは、縦糸・横糸からなる繊維を編むことによって靴下の筒状部となる布を形成ことを意味しているが、この編成時に染色した繊維を用いることで筒状部の形成と同時に所定の絵柄を形成するというものである。編成による絵柄の形成は従来から一般的に使用されている手法であり、前述した刺繍の例のように、特に新しい設備等を必要とするものではない。
したがって、本願発明の靴下は、編成によって絵柄を形成しても、刺繍で行った場合と同様のと同様の作用・効果を有している。
【００２２】
【発明の効果】
以上説明したように本願発明の靴下は以下の効果を有している。
すなわち、本願発明は、靴下の筒状部の外側面および内側面にそれぞれ異なる絵柄が表示されているので、筒状部を折り返したり伸展させたりすることによって、それぞれの絵柄を任意に表出させて楽しむことができるという効果を有している。
【００２３】
また、本願発明は、上記効果に加えて、筒状部の外側面および内側面の絵柄は刺繍あるいは編成によって形成されているので、シール等を貼りつけた場合のようにシールがすり切れたり剥離するといった不都合が生じないという効果を有している。
さらに、刺繍あるいは編成を行った筒状部は二重構造となっており下糸が見えないようになっているので、筒状部を折り返した際に下糸が表出して美観を損ねるといった不都合が生じないという効果を有している。
【００２５】
また、本願発明は、筒状部の外側面および内側面への絵柄の形成の際には、筒状部材に対する片面側からの刺繍あるいは編成によって絵柄を形成することができるものである。したがって、例えば筒状部の内側面に絵柄を形成するための特殊な治具や装置等を必要とせず、筒状部の外側面および内側面に絵柄を形成することができるという効果を有している。
【図面の簡単な説明】
【図１】本願発明の靴下の斜視図である。
【図２】本願発明の靴下の側面図である。
【図３】本願発明の靴下の側面図である。
【図４】本願発明の靴下の構造を説明するための説明図である。
【符号の説明】
１  靴下
３  第１の絵柄
５  筒状部
７  第２の絵柄
９  折返し部
１１  接合部
２１  筒状部材
【図１】
0003913423.tif 000002
【図２】
0003913423.tif 000003
【図３】
0003913423.tif 000004
【図４】
0003913423.tif 000005